(57)【特許請求の範囲】
【請求項１】
前面の中央に前方に向いた反射筒を有し前記前面の周縁部に前記反射筒を中にして前方に向いた筒状のセードを有する器具本体と、前記器具本体の前記前面の前記反射筒の内側に配設された第１の光源と、前記器具本体の前記前面の前記反射筒と前記セードとの間に配設された第２の光源と、前記器具本体の前記前面の前記セードの内側に配設されたリモコン受信部とを備え、前記反射筒の前記リモコン受信部と反対側からリモコン信号を前記リモコン受信部に直接入射させる際に前記反射筒がリモコン信号の遮蔽物となる照明器具において、
前記反射筒の前記リモコン受信部と反対側の外側面に入射するリモコン信号が、前記外側面および前記外側面に対向する前記セードの内側面を順次反射して前記リモコン受信部に入射するように、前記外側面の形状を前記反射筒の中心軸を中心とする断面半円弧状に形成したことを特徴とする照明器具。
【請求項２】
前記反射筒は円筒状である請求項１記載の照明器具。
【発明の詳細な説明】
【０００１】
【発明の属する技術分野】
この発明は、照明器具に関するものである。
【０００２】
【従来の技術】
図４に従来例を示す。すなわち、このセンタースポット付きの照明器具は、前面１０１の中央に反射筒１００を有し、前面１０１の周縁部に筒状のセード１０２を有する器具本体１０３と、この器具本体１０３の前面１０１の反射筒１００の内側に配設された第１の光源１０４と、器具本体１０３の前面１０１の反射筒１００とセード１０２との間に配設された第２の光源１０５と、器具本体１０３の前面１０１のセード１０２の内側で反射筒１００の一対向側面の両側に配設された一対のリモコン受信部１０６，１０７とを備え、反射筒１００は角筒形に形成していた。１０８はリモコン送信部である。
【０００３】
この照明器具は、リモコン送信部１０８がリモコン受信部１０６，１０７の並び方向の一方にある場合、そのリモコン信号Ｐ1 は反射筒１００の略垂直面となる外側面に入射した後、反射光Ｐ2 のように反射してリモコン受信部１０７に入射するが、リモコン受信部１０６には入射しない。同様に、リモコン送信部１０８を前記と反対側に配置した場合にはリモコン信号がリモコン受信部１０６に入射し、リモコン受信部１０７には入射しない。またリモコン送信部１０８がリモコン受信部１０６，１０７の並び方向にない場合は、反射筒１００が遮蔽物とならないので両方のリモコン受信部１０６，１０７に入射する。いずれかのリモコン受信部１０６，１０７に入射したリモコン信号の内容にしたがって、第１の光源１０４、第２の光源１０５が制御される。
【０００４】
【発明が解決しようとする課題】
しかし、この照明器具は、リモコン受信部１０６，１０７の並び方向の一方からリモコン送信部１０８を操作する場合があるため、必ず２個のリモコン受信部１０６，１０７が必要になり、コストアップになるという欠点があった。
したがって、この発明の目的は、リモコン受信部を１個にすることができる照明器具を提供することである。
【０００５】
【課題を解決するための手段】
請求項１記載の照明器具は、前面の中央に前方に向いた反射筒を有し前記前面の周縁部に前記反射筒を中にして前方に向いた筒状のセードを有する器具本体と、前記器具本体の前記前面の前記反射筒の内側に配設された第１の光源と、前記器具本体の前記前面の前記反射筒と前記セードとの間に配設された第２の光源と、前記器具本体の前記前面の前記セードの内側に配設されたリモコン受信部とを備え、前記反射筒の前記リモコン受信部と反対側からリモコン信号を前記リモコン受信部に直接入射させる際に前記反射筒がリモコン信号の遮蔽物となる照明器具において、
前記反射筒の前記リモコン受信部と反対側の外側面に入射するリモコン信号が、前記外側面および前記外側面に対向する前記セードの内側面を順次反射して前記リモコン受信部に入射するように、前記外側面の形状を前記反射筒の中心軸を中心とする断面半円弧状に形成したことを特徴とするものである。
【０００６】
請求項１記載の照明器具によれば、反射筒のリモコン受信部と反対側から反射筒の外側面に向けてリモコン送信部よりリモコン信号を出射すると、反射筒の外側面で反射してその反射光がセードの内面を１回ないし複数回反射して、反射筒に遮蔽されずに、リモコン受信部に入射する。このため、リモコン受信部を１個にすることができ、リモコン受信部設置のための構造部品の部品点数を少なくし器具の構造を簡略化でき、コストダウン、生産性向上等を図ることができる。
【０００７】
請求項２記載の照明器具は、請求項１において、前記反射筒を円筒状としたものである。
請求項２記載の照明器具によれば、請求項１と同効果がある。
【０００８】
【発明の実施の形態】
この発明の第１の実施の形態を図１および図２により説明する。すなわち、このセンタースポット付きの照明器具は、器具本体１と、第１の光源２と、第２の光源３と、リモコン受信部４とを有する。
器具本体１は、前面６の中央に反射筒５を有し、前面６の周縁部に筒状のセード８を有する。実施の形態の器具本体１は天井直付け型である。セード８は半透光性の角筒形であり、器具本体１の周縁部に係止している。
【０００９】
第１の光源２は、器具本体１の前面の反射筒５の内側に配設されている。実施の形態では白熱ランプやハロゲンランプのランプソケットおよびラッパ形の反射板からなる。
第２の光源３は、器具本体１の前面の反射筒５とセード８との間に配設されている。実施の形態では一対の環形蛍光ランプを適用している。７はランプ支持ばねである。
【００１０】
リモコン受信部４は、器具本体１の前面６のセード８の内側、とくに器具本体１の周縁部寄りに配設されている。ここで、反射筒５は、反射筒５のリモコン受信部４と反対側の外側面５ａが、この外側面５ａに入射するリモコン信号Ｌを反射筒５の筒軸に直角な面に平行な方向に反射し、さらにその反射光ａがセード８を反射して、リモコン受信部４に入射するように、略非垂直面すなわち反射筒５の中心とリモコン受信部４とを結ぶ直線に対し略非垂直面、に形成されている。実施の形態では、反射筒５が円筒形状に形成されている。９はリモコン送信部である。
【００１１】
この照明器具は、リモコン受信部４に入射したリモコン信号により、第１の光源２および第２の光源３が個別または同時に点灯・消灯するようにしている。またリモコン送信部９が図２の位置以外の位置にある場合にはリモコン信号Ｌが反射筒５に邪魔されずにリモコン信号Ｌをリモコン受信部４に入射することができる。一方、リモコン送信部９が図２の位置にある場合でも、反射筒５のリモコン送信部９に向く外側面の形状が略非垂直面であるように、全体として円筒形に形成されているため、反射筒５に向けて入射したリモコン信号Ｌは反射筒５の軸に垂直な面内すなわち水平面内で矢印ａのように入射方向から離れるように反射し、セード８の一内側面を矢印ｂのように反射し、さらにセード８の隣接する内側面を矢印ｃのように反射して反射筒５に邪魔されることなくリモコン受信部４に入射する。
【００１２】
この実施の形態によれば、リモコン受信部４を１個にすることができ、リモコン受信部４の設置のための構造部品の部品点数を少なくし器具の構造を簡略化でき、コストダウン、生産性向上等を図ることができる。
この発明の第２の実施の形態を図３に示す。すなわち、第１の実施の形態と異なる点は、反射筒５のリモコン受信部４と反対側の外側面５ａのみが断面円弧状に形成された角筒形であることである。その他は第１の実施の形態と同様である。
【００１３】
なお、この発明において、反射筒５は、リモコン受信部５と反対側の外側面５ａが、この外側面５ａに入射するリモコン信号Ｌを反射筒５の筒軸に直角な面に平行な方向に拡散反射し、さらにその反射光ａがセード８を反射して、リモコン受信部４に入射するように、略非垂直面に形成されたものであればよく、前記したような形状に限定されず他の形状であってもよい。
【００１４】
またセード８は角筒形であったが、円筒形であってもよい。
【００１５】
【発明の効果】
請求項１記載の照明器具によれば、反射筒のリモコン受信部と反対側から反射筒の外側面に向けてリモコン送信部よりリモコン信号を出射すると、反射筒の外側面で反射してその反射光がセードの内面を１回ないし複数回反射して、反射筒に遮蔽されずに、リモコン受信部に入射する。このため、リモコン受信部を１個にすることができ、リモコン受信部設置のための構造部品の部品点数を少なくし器具の構造を簡略化でき、コストダウン、生産性向上等を図ることができる。
【００１６】
請求項２記載の照明器具によれば、請求項１と同効果がある。
【図面の簡単な説明】
【図１】この発明の第１の実施の形態の半断面側面図である。
【図２】リモコン信号の入射経路を説明する底面図である。
【図３】第２の実施の形態のリモコン信号の入射経路を説明する底面図である。
【図４】従来例のリモコン信号の入射経路を説明する底面図である。
【符号の説明】
１    器具本体
２    第１の光源
３    第２の光源
４    リモコン受信部
５    反射筒
５ａ  外側面
６    前面
８    セード
Ｌ    リモコン信号
【図１】
0004027462.tif 000002
【図２】
0004027462.tif 000003
【図３】
0004027462.tif 000004
【図４】
0004027462.tif 000005